(57)【要約】【課題】発熱体収納箱冷却装置のメンテナンスは、発熱体収納箱冷却装置の取り付け空間スペースが十分に確保されない場合でも発熱体収納箱冷却装置の内外どちらからでも保守、点検、清掃等のメンテナンス作業性の向上を図れることを目的とする。【解決手段】発熱体収納箱を冷却するために外気送風機１、内気送風機２、熱交換素子３、制御装置４、ヒーター５を備えた箱体にて、発熱体収納箱の内部に隣接する一面６とその相対する面７を取り外し可能なパネルとし、このどちらか一方の取り外し可能なパネルを外すことにより同一面に配置された外気送風機、内気送風機、熱交換素子、制御装置、ヒーターのメンテナンス作業を極めて容易に行うことができることを特徴とする。【選択図】図１
2009117505.tif 000002
【特許請求の範囲】
【請求項１】
発熱体収納箱を冷却するために外気送風機、内気送風機、熱交換素子、制御装置、ヒーターを備えた箱体にて、発熱体収納箱の内部に隣接する一面とその相対する面を取り外し可能なパネルとし、このどちらか一方の取り外し可能なパネルを外すことにより同一面に配置された外気送風機、内気送風機、熱交換素子、制御装置、ヒーターのメンテナンス作業を極めて容易に行うことができることを特徴とする発熱体収納箱冷却装置。
【請求項２】
前記取り外し可能なパネルは、複数の領域に分割できることを特徴とする請求項１に記載の発熱体収納箱冷却装置。
【請求項３】
発熱体収納箱冷却装置内部に熱交換素子を配置するガイドレールを配したことを特徴とする請求項１または２に記載の発熱体収納箱冷却装置。
【請求項４】
左右に二分割された熱交換素子を配したことを特徴とする請求項１または２または３に記載の発熱体収納箱冷却装置。
【請求項５】
ファンとモーターと整流目的のオリフィスをモーター固定板に固定し、送風機ユニットとして構成した外気送風機、内気送風機を配したことを特徴とする請求項１または２に記載の発熱体収納箱冷却装置。
【請求項６】
送風機ユニットとして構成した内気送風機と外気送風機の配線を着脱可能な手段で重畳して固定することを特徴とする請求項１または２に記載の発熱体収納箱冷却装置。
【請求項７】
発熱体収納箱冷却装置内部に送風機を脱着するガイドレール機構を配したことを特徴とする請求項１または２に記載の発熱体収納箱冷却装置。
【請求項８】
制御装置を備えた箱体を両側の取り外し可能なパネルに着脱可能な手段で固定し、着脱解除手段によりパネルの片側から反対側のパネルと制御装置との着脱を操作して片側のパネルを取り外して制御装置をとりはずすことができることを特徴とする請求項１または２に記載の発熱体収納箱冷却装置。
【請求項９】
取り外し可能なパネルの熱交換素子が接する部位にパネルの補強手段を兼ねた熱交換素子の固定手段を設けたことを特徴とする請求項１または２に記載の発熱体収納箱冷却装置。
【発明の詳細な説明】
【技術分野】
【０００１】
本発明は屋外に設置される箱体構造物で、内部に電子部品などの発熱体を有し、その発熱量が多く冬季においても冷却を要し、また、温度により性能、寿命に大きく影響を受けるような精密な機器を有する発熱体収納箱に関し、特にその冷却装置のメンテナンスに関するものである。
【背景技術】
【０００２】
近年、電子部品の高性能化と制御基板に対する電子部品の高密度化が進み、制御基板からの発熱量は飛躍的に増加しているのに反し、発熱体収納箱設置の省スペース化に伴い、発熱体収納箱の小型化が望まれている。
【０００３】
従来、屋外に設置される発熱体収納箱の冷却装置としては、箱体収納箱の側面に熱交換型冷却装置を設置することによって、外気温度が低い時に外気と箱体構造物内の空気（以下、内気と称す）とで熱交換を行うことで内気を冷却するものが知られている（例えば、特許文献１参照）。
【０００４】
以下、その発熱体収納箱冷却装置の構成について、図１３を参照しながら説明する。
【０００５】
図１３に示すように発熱体収納箱冷却装置１０１は、ケース１０２の内部に、発熱体収納箱の空気を取込んで戻す内気風路１１０と、外気を取込み、また外気に排出する外気風路１１１を有し、内気風路１１０の空気を搬送する内気送風機１０３と、外気風路１１１の空気を搬送する外気送風機１０４と、両風路の交点に配され外気と内気の顕熱を交換する熱交換素子１０５と、発熱体収納箱の内部温度を一定に保つ制御を行う制御装置１０６と、内気送風機１０３、外気送風機１０４と制御装置１０６を端子台を介して接続するリード線１０７ａ、１０７ｂと、発熱体収納箱を寒冷地の低温下で使用した場合においても発熱体収納箱内の電子部品が正常に動作する様、内気風路の空気を加熱する為のヒーター１０８と上述の部品をメンテナンスする際に脱着する点検パネル１０９を備えている。
【０００６】
また、図１４に示すように発熱体収納箱冷却装置１０１は、発熱体収納箱１２１の開閉式の扉１２２に内付けされる（例えば、特許文献２参照）。
【特許文献１】特開２００１−１５６４７８号公報（図１）
【特許文献２】特開平６−３２３５９３号公報（図１）
【発明の開示】
【発明が解決しようとする課題】
【０００７】
このような従来の発熱体収納箱冷却装置では、発熱体収納箱冷却装置のメンテナンスは、発熱体収納箱の内部からの行うものであり、発熱体収納箱の内部の空間スペースが十分に確保されない場合、メンテナンス部品の取付け、取外しの作業性が悪く、メンテナンス上で容易性、簡易性が得られないという課題があった。
【０００８】
本発明は、このような従来の課題を解決するものであり、本発明によれば、発熱体収納箱の内部の空間スペースがない場合でも発熱体収納箱冷却装置の保守、点検、清掃等のメンテナンス作業性の向上化を図れる発熱体収納箱冷却装置を提供することを目的とする。
【課題を解決するための手段】
【０００９】
本発明の発熱体収納箱冷却装置は、上記目的を達成するために、発熱体収納箱を冷却するために外気送風機、内気送風機、熱交換素子、制御装置、ヒーターを備えた箱体にて、発熱体収納箱の内部に隣接する一面とその相対する面を取り外し可能なパネルとし、このどちらか一方の取り外し可能なパネルを外すことにより同一面に配置された外気送風機、内気送風機、熱交換素子、制御装置、ヒーターのメンテナンス作業を極めて容易に行うことができることを特徴とするものである。
【００１０】
また、他の手段は、前記取り外し可能なパネルは、複数の領域に分割できることを特徴とするものである。
【００１１】
また、他の手段は、発熱体収納箱冷却装置内部に熱交換素子を配置するガイドレールを配したことを特徴とするものである。
【００１２】
また、他の手段は、左右に二分割された熱交換素子を配したことを特徴とするものである。
【００１３】
また、他の手段は、ファンとモーターと整流目的のオリフィスをモーター固定板に固定し、送風機ユニットとして構成した外気送風機、内気送風機を配したことを特徴とするものである。
【００１４】
また、他の手段は、送風機ユニットとして構成した内気送風機と外気送風機の配線を着脱可能な手段で重畳して固定することを特徴とするものである。
【００１５】
また、他の手段は、発熱体収納箱冷却装置内部に送風機を脱着するガイドレール機構を配したことを特徴とするものである。
【００１６】
また、他の手段は、制御装置とヒーターを備えた箱体を両側の取り外し可能なパネルに着脱可能な手段で固定し、着脱解除手段によりパネルの片側から反対側のパネルと制御装置との着脱を操作して片側のパネルを取り外して制御装置とヒーターを備えた箱体をとりはずすことができることを特徴とするものである。
【００１７】
また、他の手段は、取り外し可能なパネルの熱交換素子が接する部位にパネルの補強手段を兼ねた熱交換素子の固定手段を設けたことを特徴とするものである。
【発明の効果】
【００１８】
本発明によれば、発熱体収納箱を冷却するために外気送風機、内気送風機、熱交換素子、制御装置、ヒーターを備えた箱体にて、発熱体収納箱の内部に隣接する一面とその相対する面を取り外し可能なパネルとし、このどちらか一方の取り外し可能なパネルを外すことにより同一面に配置された外気送風機、内気送風機、熱交換素子、制御装置、ヒーターのメンテナンス作業を極めて容易に行うことができることを特徴とすることによりパネルの両側からメンテナンスを行うことができメンテナンス性が向上するとともに、設置可能の自由度が拡大するという効果のある発熱体収納箱冷却装置を提供することができる。
【００１９】
また、前記取り外し可能なパネルは、複数の領域に分割できることを特徴とすることにより、容易にメンテナンス対象部品を取りはずすことが可能となるという効果のある発熱体収納箱冷却装置を提供することができる。
【００２０】
また、発熱体収納箱冷却装置内部に熱交換素子を配置するガイドレールを配したことを特徴とすることにより、熱交換素子は、固定するためのネジ等の取付け金具を必要とせず、部品点数の削減が図れ、容易に発熱体収容箱へ配置できメンテナンス性が向上するという効果のある発熱体収納箱冷却装置を提供することができる。        
【００２１】
また、左右に二分割された熱交換素子を配したことを特徴とすることにより、単品部品として軽量化ができ、取り扱い性の向上とともに、メンテナンス性の向上がはかれるという効果のある発熱体収納箱冷却装置を提供することができる。
【００２２】
また、ファンとモーターと整流目的のオリフィスをモーター固定板に固定し、送風機ユニットとして構成した外気送風機、内気送風機を配したことを特徴とすることにより、外気送風機と内気送風機は、単品部品として取り扱うことができ、メンテナンス性が向上するという効果のある発熱体収納箱冷却装置を提供することができる。
【００２３】
また、送風機ユニットとして構成した内気送風機と外気送風機の配線を着脱可能な手段で重畳して固定することを特徴とすることにより、内気送風機と外気送風機のメンテナンス性が向上するという効果のある発熱体収納箱冷却装置を提供することができる。
【００２４】
また、発熱体収納箱冷却装置内部に送風機を脱着するガイドレール機構を配したことを特徴とすることにより、送風機ユニットの取り外しをガイドレール機構を用いて行うことにより、発熱体収納箱の内側、外側のどちらからでもメンテナンスが出きる効果のある発熱体収納箱冷却装置を提供することができる。
【００２５】
また、制御装置とヒーターを備えた箱体を両側の取り外し可能なパネルに着脱可能な手段で固定し、着脱解除手段によりパネルの片側から反対側のパネルと制御装置との着脱を操作して片側のパネルを取り外して制御装置とヒータを備えた箱体をとりはずすことができることを特徴とすることにより、パネルどちらの側からもパネルをはずして制御装置とヒーターを備えた箱体を一度に取り外すことができメンテナンス時間を短縮することができるという効果のある発熱体収納箱冷却装置を提供することができる。                
【００２６】
また、取り外し可能なパネルの熱交換素子が接する部位にパネルの補強手段を兼ねた熱交換素子の固定手段を設けたことを特徴とすることにより、固体手段により、熱交換素子を強固に固定するとともに、取外し可能なパネルを外すことにより熱交換素子の固定が外れ、熱交換素子を容易に取出すことができ、メンテナンス性が向上するという効果のある発熱体収納箱冷却装置を提供することができる。
【発明を実施するための最良の形態】
【００２７】
本発明の請求項１記載の発熱体収納箱冷却装置は、発熱体収納箱を冷却するために外気送風機、内気送風機、熱交換素子、制御装置、ヒーターを備えた箱体にて、発熱体収納箱の内部に隣接する一面とその相対する面を取り外し可能なパネルとし、このどちらか一方の取り外し可能なパネルを外すことにより同一面に配置された外気送風機、内気送風機、熱交換素子、制御装置、ヒーターのメンテナンス作業を極めて容易に行うことができることを特徴としたものであり、メンテナンス時に、発熱体収納箱冷却装置のパネルの一面を取りはずすことにより、全ての部品が取り外すこととなるとともに、片面からメンテナンスすることが難しい状況下においては、その相対する面からメンテナンスすることができるという作用を有する。
【００２８】
また、前記取り外し可能なパネルは、複数の領域に分割できることを特徴としたものであり、発熱体収納箱冷却装置内のメンテナンス対象部品を取り外す際には対象部品の前面にあるパネルのみを取りはずしてメンテナンスを行うことができるという作用を有する。
【００２９】
また、発熱体収納箱冷却装置内部に熱交換素子を配置するガイドレールを配したことを特徴とするとしたものであり、熱交換素子の配置は、上下のガイドレールに沿って挿入することとなるという作用を有する。
【００３０】
また、左右に二分割された熱交換素子を配したことを特徴としたものであり、熱交換素子を分割することによって、左右個々に設置や取り外しが可能となるという作用を有する。
【００３１】
また、ファンとモーターと整流目的のオリフィスをモーター固定板に固定し、送風機ユニットとして構成した外気送風機、内気送風機を配したことを特徴としたものであり、内気送風機や外気送風機は、送風機ユニット単体として発熱体収納箱冷却装置本体から取り外してメンテナンスを行うことができる作用を有する。
【００３２】
また、送風機ユニットとして構成した内気送風機と外気送風機の配線を着脱可能な手段で重畳して固定することを特徴としたものであり、配線の重畳部固定を外すことにより、送風機を発熱体収納箱冷却装置本体から引出した後の広いスペースにて配線接続部を切り離すことができるという作用を有する。
【００３３】
また、発熱体収納箱冷却装置内部に送風機を脱着するガイドレール機構を配したことを特徴としたものであり、発熱体収納箱の内側、外側のどちらでもメンテナンスができるという作用を有する。
【００３４】
また、制御装置とヒーターを備えた箱体を両側の取り外し可能なパネルに着脱可能な手段で固定し、着脱解除手段によりパネルの片側から反対側のパネルと制御装置との着脱を操作して片側のパネルを取り外して制御装置とヒーターを備えた箱体をとりはずすことができることを特徴としたものであり、着脱解除手段によりパネルの片側から反対側のパネルと制御装置との着脱を操作することで、片側のパネルを取り外して、発熱体収納箱冷却装置から一体として容易に着脱でき、さらに着脱可能な手段によりもう一方のパネルの片側から相対するパネルと制御装置との着脱を操作することで、もう一方のパネルを取り外して、発熱体収納箱冷却装置から一体として容易に着脱でき、パネル両面からの着脱が可能となるという作用を有する。
【００３５】
また、取り外し可能なパネルの熱交換素子が接する部位にパネルの補強手段を兼ねた熱交換素子の固定手段を設けたことを特徴としたものであり、取り外し可能なパネルを取り付けた状態では、熱交換素子は、固定手段によって強固に固定されるとともに、取外し可能なパネルを外すことにより熱交換素子の固定が外れ熱交換素子を取出すことができる。
という作用を有する。
【００３６】
以下、本発明の実施の形態について、図面を参照しながら説明する。
【００３７】
（実施の形態１）
図１に示すように、発熱体収納箱を冷却するために外気送風機１、内気送風機２、熱交換素子３、制御装置４、ヒーター５を備えた箱体にて、発熱体収納箱の内部に隣接する一面６とその相対する面７を取り外し可能なパネルとし、このどちらか一方の取り外し可能なパネルを外すことにより同一面に配置された外気送風機１、内気送風機２、熱交換素子３、制御装置４、ヒーター５のメンテナンス作業を極めて容易に行うことができる発熱体収納箱冷却装置を構成する。
【００３８】
上記構成により、メンテナンス時に、発熱体収納箱冷却装置のパネルの一面を取りはずすことにより、全ての部品が取り外すこととなるとともに、片面からメンテナンスすることが難しい状況下においては、その相対する面からメンテナンスすることとなる。
【００３９】
このように本発明の実施の形態１の発熱体収納箱冷却装置によれば、パネルの両側からメンテナンスを行うことができメンテナンス性が向上するとともに、設置可能の自由度が拡大することとなる。
【００４０】
（実施の形態２）
図２に示すように、前記取り外し可能なパネルは、外気送風機１をメンテナンスするための外気送風機メンテナンス用の前面パネル８と外気送風機メンテナンス用の背面パネル９、内気送風機２をメンテナンスするための内気送風機メンテナンス用の前面パネル１０と内気送風機メンテナンス用の背面パネル１１、熱交換素子３をメンテナンスするための熱交素子メンテナンス用の前面パネル１２と熱交素子メンテナンス用の背面パネル１３、制御装置４をメンテナンスするための制御装置メンテナンス用の前面パネル１４と制御装置メンテナンス用の背面パネル１５を設け複数領域に分割できることを特徴とする発熱体収納箱冷却装置を構成する。
【００４１】
上記構成により、発熱体収納箱冷却装置内のメンテナンス対象部品を取り外す際には対象部品の前面、または背面にあるパネルのみを取りはずしてメンテナンスを行うこととなる。
【００４２】
このように本発明の実施の形態２の発熱体収納箱冷却装置によれば、容易にメンテナンス対象部品を取りはずすことが可能となる。
【００４３】
（実施の形態３）
図３に示すように、発熱体収納箱冷却装置内部に熱交換素子３を配置するガイドレール１６を配した発熱体収納箱冷却装置を構成する。
【００４４】
上記構成により、熱交換素子の配置は、上下のガイドレール１６に沿って挿入することとなる。
【００４５】
このように本発明の実施の形態３の発熱体収納箱冷却装置によれば、熱交換素子は、固定するためのネジ等の取付け金具を必要とせず、部品点数の削減が図れ、容易に発熱体収容箱へ配置できメンテナンス性が向上する。
【００４６】
（実施の形態４）
図４に示すように、左右に二分割された熱交換素子３ａ、３ｂを配したことを特徴とする発熱体収納箱冷却装置を構成する。
【００４７】
上記構成により、熱交換素子を分割することによって、左右個々に設置や取り外しが可能となる。
【００４８】
このように本発明の実施の形態４の発熱体収納箱冷却装置によれば、単品部品として軽量化ができ、取り扱い性の向上とともに、メンテナンス性の向上がはかれる。
【００４９】
（実施の形態５）
図５に示すように、ファン１７とモーター１８と整流目的のオリフィス１９をモーター固定板２０に固定し、送風機ユニットとして構成した外気送風機、内気送風機を配した発熱体収納箱冷却装置を構成する。
【００５０】
上記構成により、内気送風機や外気送風機は、送風機ユニット単体としてで発熱体収納箱冷却装置本体から取り外してメンテナンスを行うこととなる。
【００５１】
このように本発明の実施の形態５の発熱体収納箱冷却装置によれば、外気送風機と内気送風機は、単品部品として取り扱うことができ、メンテナンス性が向上する。
【００５２】
（実施の形態６）
図６に示すように、送風機ユニット２１として構成した内気送風機と外気送風機の配線を着脱可能な手段として配線の重畳固定部２２で重畳して固定する発熱体収納箱冷却装置を構成する。
【００５３】
上記構成により、配線の重畳固定部２２を外すことにより、送風機を発熱体収納箱冷却装置本体から引出した後の広いスペースにて配線接続部２３を切り離すことができる。
【００５４】
このように本発明の実施の形態６の発熱体収納箱冷却装置によれば、内気送風機と外気送風機のメンテナンス性が向上する。
【００５５】
（実施の形態７）
図７、図８に示すように、発熱体収納箱冷却装置内部に送風機ユニット２４を送風機ユニットガイドレール２５と対角に２つずつ配置した連結金具２６ａ、２６ｂ、固定ネジ２７ａ、２７ｂ、２７ｃ、２７ｄを配したガイドレール機構を用いた発熱体収納箱冷却装置を構成する。図７に示すように送風機ユニット２４を吸込口方向に取り外す場合、対角に配し、横方向に固定した２つの固定ネジ２７ａを取り外して送風機ユニット２４と連結金具２６ａの固定を解除し、対角に配し、前後方向に固定した２つの固定ネジ２７ｂを取り外して送風機ユニットガイドレール２５と連結金具２６ｂの固定を解除する。また図８に示すように送風機ユニット２４を吸込口方向と逆に取り外す場合、対角に配し、横方向に固定した２つの固定ネジ２７ｃを取り外して送風機ユニット２４と連結金具２６ｂの固定を解除し、対角に配し、前後方向に固定した２つの固定ネジ２７ｄを取り外して送風機ユニットガイドレール２５と連結金具２６ａの固定を解除する。
【００５６】
このように本発明の実施の形態７の発熱体収納箱冷却装置によれば、送風機ユニットの取り外しをガイドレール機構を用いて行うことにより、発熱体収納箱の内側、外側のどちらからでもメンテナンスが出きメンテナンス性を向上させることができる。
【００５７】
（実施の形態８）
図９に示すように、制御装置（図示せず）とヒーター５備えた箱体２８を取り外し可能な前面パネル２９と背面パネル３０に制御装置連結金具３１ａ、３１ｂ、固定ネジ３２ａ、３２ｂ、３２ｃ、３２ｄを発熱体収納箱冷却装置を構成する。図１０に示すように、前面パネル２９側から制御装置とヒーター５を備えた箱体２８を取外す場合、前面パネル２９を取外す際、固定ネジ３２ａを水平方向に外して前面パネル２９と制御装置連結金具３１ａの固定を解除し、固定ネジ３２ｂを垂直方向に取外して制御装置を備えた箱体２８と制御装置連結金具３１ｂの固定を解除し、箱体２８に固定されたガイドレール３３と送風機ユニットのガイドを兼ね備えたガイドレール３４に沿って前方へ引き出す。また、図１１に示すように、背面パネル３０側から制御装置とヒーター５を備えた箱体２８を取外す場合、背面パネルを取外す際、固定ネジ３２ｃを水平方向に取外して背面パネル３０と制御装置連結金具３１ｂの固定を解除し、固定ネジ３２ｄを垂直方向に取外して制御装置とヒーター５を備えた箱体２８と制御装置連結金具３１ａの固定を解除し、上方のガイドレール３３と送風機ユニットのガイドを兼ね備えたガイドレール３４に沿って前方へ引き出す。
【００５８】
上記構成により片側のパネルを取外す際、取外すパネルと隣接した連結金具の固定を解除し、反対側のパネルに固定された連結金具と制御装置とヒーターを備えた箱体の固定を解除することにより、また、もう一方のパネルを取外す際、取外すパネルと隣接した連結金具の固定を解除し、反対側のパネルに固定された連結金具と制御装置とヒーターを備えた箱体の固定を解除することにより発熱体収納箱冷却装置から制御装置とヒーターを備えた箱を一体として取外し可能なパネル両面から容易に着脱することができる。
【００５９】
（実施の形態９）
図１２示すように、取り外し可能なパネルの熱交換素子３が接する部位にパネルの補強手段を兼ねた熱交換素子の固定部材３５を固定手段として設けた発熱体収納箱冷却装置を構成する。
【００６０】
上記構成により、取り外し可能なパネルを取り付けた状態では、熱交換素子は、固定手段によって強固に固定されるとともに、取外し可能なパネルを外すことにより熱交換素子の固定が外れ熱交換素子を取出すことができる。
【００６１】
このように本発明の実施の形態９の発熱体収納箱冷却装置によれば、固定手段により、熱交換素子を強固に固定するとともに、取外し可能なパネルを外すことにより熱交換素子の固定が外れ、熱交換素子を容易に取出すことができ、メンテナンス性が向上する。
【産業上の利用可能性】
【００６２】
本発明は、各部に取り付けたガイドレール機構により、省力で容易にメンテナンスができ、前面、背面から作業可能なことからメンテナンスの容易性、簡易性が得られ、移動電話基地局、簡易無線局等、屋外に設置される箱体構造物の発熱体冷却装置や、狭スペースに設置される熱交換器、エアーハンドリングユニット、送風機等、狭いスペースに設置される機器、もしくはメンテナンスの頻度が多い機器にも適応できる。
【図面の簡単な説明】
【００６３】
【図１】本発明の実施の形態１の発熱体収納箱冷却装置の構造図
【図２】本発明の実施の形態２の発熱体収納箱冷却装置の構造図
【図３】本発明の実施の形態３の発熱体収納箱冷却装置の構造図
【図４】本発明の実施の形態４の発熱体収納箱冷却装置の構造図
【図５】本発明の実施の形態５の送風機ユニットの構造図
【図６】本発明の実施の形態６の送風機ユニットの設置手段の構成図
【図７】本発明の実施の形態７の送風機ユニットの設置手段の構造図
【図８】本発明の実施の形態７の送風機ユニットの設置手段の構造図
【図９】本発明の実施の形態８の制御装置とヒーターを備えた箱体の設置手段の断面図
【図１０】本発明の実施の形態８の制御装置とヒーターを備えた箱体の設置手段の構造図
【図１１】本発明の実施の形態８の制御装置とヒーターを備えた箱体の設置手段の構造図
【図１２】本発明の実施の形態９の熱交素子固定手段の構造図
【図１３】従来の発熱体収納箱冷却装置の構造図
【図１４】従来の発熱体収納箱冷却装置の設置図
【符号の説明】
【００６４】
１        外気送風機
２        内気送風機
３ａ      熱交換素子
３ｂ      熱交換素子
４        制御装置
５        ヒーター
６        発熱体収納箱の内部に隣接する一面
７        相対する面
８        外気送風機メンテナンス用の前面パネル
９        外気送風機メンテナンス用の背面パネル
１０      内気送風機メンテナンス用の前面パネル
１１      内気送風機メンテナンス用の背面パネル
１２      熱交素子メンテナンス用の前面パネル
１３      熱交素子メンテナンス用の背面パネル
１４      制御装置メンテナンス用の前面パネル
１５      制御装置メンテナンス用の背面パネル
１６      ガイドレール
１７      ファン
１８      モーター
１９      オリフィス
２０      モーター固定板
２１      送風機ユニット
２２      配線の重畳固定部
２３      配線接続部
２４      送風機ユニット
２５      送風機ユニットガイドレール
２６ａ    連結金具
２６ｂ    連結金具
２７ａ    固定ネジ
２７ｂ    固定ネジ
２７ｃ    固定ネジ
２７ｄ    固定ネジ
２８      箱体
２９      前面パネル
３０      背面パネル
３１ａ    制御装置連結金具
３１ｂ    制御装置連結金具
３２ａ    固定ネジ
３２ｂ    固定ネジ
３２ｃ    固定ネジ
３２ｄ    固定ネジ
３３      ガイドレール
３４      送風機ユニットのガイドを兼ね備えたガイドレール
３５      熱交換素子の固定部材
１０１    発熱体収納箱冷却装置
１０２    ケース
１０３    内気送風機
１０４    外気送風機
１０５    熱交換素子
１０６    制御装置
１０７ａ  リード線
１０７ｂ  リード線
１０８    ヒーター
１０９    点検パネル
１１０    内気風路
１１１    外気風路
１２１    発熱体収納箱
１２２    扉
【図１】
2009117505.tif 000003
【図２】
2009117505.tif 000004
【図３】
2009117505.tif 000005
【図４】
2009117505.tif 000006
【図５】
2009117505.tif 000007
【図６】
2009117505.tif 000008
【図７】
2009117505.tif 000009
【図８】
2009117505.tif 000010
【図９】
2009117505.tif 000011
【図１０】
2009117505.tif 000012
【図１１】
2009117505.tif 000013
【図１２】
2009117505.tif 000014
【図１３】
2009117505.tif 000015
【図１４】
2009117505.tif 000016